(57)【特許請求の範囲】
【請求項１】
ウェットティッシュケースを着脱可能とした取付具であって、
取付具が、ケース支持板を立設した基板と、基板の上部に設けられた取付部材とからなり、
取付部材が、基板に直角に延びるペーパーホルダーの保持板内面に接合し、水平部と基板から離れた位置で上方に延びる垂直部とからなる取付板と、保持板の上面に接合し、取付板の垂直部の上端縁から連設される支持板とを具備していることを特徴とするウェットティッシュケースの取付具。
【請求項２】
ウェットティッシュケースを着脱可能とした取付具であって、
取付具が、ケース支持板を立設した基板と、基板の上部に設けられた取付部材とからなり、
取付部材が、基板に直角に延びるペーパーホルダーの保持板内面に接合し、水平部と基板から離れた位置で上方に延びる垂直部とからなる取付板と、保持板の上面に接合し、取付板の垂直部の上端縁から連設される連結部と、連結部の端縁に垂設された挟持板とを具備していることを特徴とするウェットティッシュケースの取付具。
【発明の詳細な説明】
【０００１】
【発明の属する技術分野】
本発明は、ウェットティッシュケースの取付具に関する。
【０００２】
【発明が解決しようとする課題】
便座の清拭に使用する除菌液を含浸させたウェットティッシュは、従来より使用されているが、トイレにおいては、ウェットティッシュを収納したウェットティッシュケースは棚の上とか、載置台の上に置かれ、ウェットティッシュを使用する場合に、ウェットティッシュケースを手で保持してウェットティッシュを取り出さなければならず、使い勝手がよくないという問題があった。
また、多くの家庭、公衆の利用するトイレなどでは、載置台があるとは限らず、ウェットティッシュケースの保管場所に困るという問題があり、ウェットティッシュの利用を差し控えるということもあった。
【０００３】
ウェットティッシュ等のペーパーをトイレで使用するため、ペーパー収納容器（１）のホルダー（１２）を支持手段（１１）により吊り下げ状態として、トイレットペーパーホルダーに取付けるようにしたペーパーホルダーは、特開２０００−８５７８２号公報により提案されている。
【０００４】
しかし、上記公報記載のホルダー（１２）は、支持手段（１１）の上端に掛止片（１３，１３）を設け、掛止片（１３，１３）をトイレットペーパーホルダーのペーパー保持枠（２１，２１）の上面に引っかけるようにして、トイレットペーパーホルダーの取付基板に支持手段（１１）を接合するようにして取り付けているが、トイレットペーパーホルダーのロール押えの軸支部があるために取付けが簡単でなく、また、支持手段（１１）が柔軟性、可撓性を有していないとロール押えと取付基板との間に取付けができず、掛止片（１３，１３）の部分が変形して破損するという問題があった。
【０００５】
本発明は、上記の問題を解決することを課題とし、ウェットティッシュケースを着脱自在として取着した取付具を、トイレのペーパーホルダーに取付可能とした取付具を提供することを目的とする。
【０００６】
【課題を解決するための手段】
本発明は、上記の課題を解決するため、ウェットティッシュケースの取付具として、ウェットティッシュケースを着脱可能とした取付具であって、取付具が、ケース支持板を立設した基板と、基板の上部に設けられた取付部材とからなり、取付部材が、基板に直角に延びるペーパーホルダーの保持板内面に接合し、水平部と基板から離れた位置で上方に延びる垂直部とからなる取付板と、保持板の上面に接合し、取付板の垂直部の上端縁から連設される支持板とを具備していることを特徴とする構成を採用する。
【０００７】
ウェットティッシュケースの取付具の別実施例として、ウェットティッシュケースを着脱可能とした取付具であって、取付具が、ケース支持板を立設した基板と、基板の上部に設けられた取付部材とからなり、取付部材が、基板に直角に延びるペーパーホルダーの保持板内面に接合し、水平部と基板から離れた位置で上方に延びる垂直部とからなる取付板と、保持板の上面に接合し、取付板の垂直部の上端縁から連設される連結部と、連結部の端縁に垂設された挟持板とを具備していることを特徴とする構成を採用する。
【０００８】
【発明の実施の形態】
次に、本発明の実施形態について、図面を参照して説明する。
図１において、Ａはペーパーホルダー、ＢはウェットティッシュケースＣの取付具である。
ペーパーホルダーＡは、取付基板１に連設され、ロールペーパー２の保持具を装着した一対の保持板３ａ、３ｂと、保持板３ａ、３ｂの間に軸支されたロールペーパー押え４とを具えており、保持板３ａ、３ｂの間隔は、規格によって定められている。
【０００９】
図２に示すように、取付具Ｂは、基板５と、該基板５の上部に形成された取付部材６と、基板５に立設された上下二つのケース支持板７、８とからなっている。
基板５は、長方形の主体部９と、該主体部９の上端縁から斜め上方に延びる耳部１０ａ、１０ｂとから形成され、それぞれの耳部１０ａ、１０ｂの端縁には、前方向に直角に延びる取付板１１ａ、１１ｂが連設されている。
【００１０】
それぞれの取付板１１ａ、１１ｂの上端縁には、外方に直角に延びる支持板１２ａ、１２ｂが連設されており、取付板１１ａ、１１ｂと支持板１２ａ、１２ｂによって、取付部材６が形成されている。
取付板１１ａ、１１ｂの間隔は、その外面がペーパーホルダーＡの保持板３ａ、３ｂ内面に接合するような距離となっている。
【００１１】
それぞれのケース支持板７、８は、基板５の主体部９に切込みが入れられ、基板５に立設するよう形成された支持基板１３ａ、１３ｂと、それぞれの該支持基板１３ａ、１３ｂの端縁から対向する方向に直角に折曲げられた支持片１４ａ、１４ｂとからなっている。
上方のケース支持板７の位置は、ペーパーホルダーＡの保持板３ａの下面より下方に位置させ、支持されたウェットティッシュケースＣがロールペーパー２に接触しないようにしており、上下のケース支持板７、８は、ウェットティッシュケースＣの基端部を挟持し、簡単に取外れないようにしている。
【００１２】
ウェットティッシュケースＣは、ケース本体１５と開閉蓋１６とを具えており、ケース本体１５の基端部には、ケース本体１５を巡って段部１７が設けられている。
開閉蓋１６は、ヒンジ１８によってケース本体１５に連設され、ヒンジ１８を軸として開閉自在とされている。
ヒンジ１８の反対側には掛止め片が設けられており、ケース本体１５に廻動自在に取着された係止片１９に係脱自在に係止されるようになっている。
【００１３】
次に、本発明の取付具の作用効果について説明する。
取付具ＢのペーパーホルダーＡへの取付けは、ロールペーパー押え４を開いて、保持板３ａ、３ｂの内側に取付板１１ａ、１１ｂを挿入し、支持板１２ａ、１２ｂを保持板３ａ、３ｂの上面に載置するだけで簡単に取付けることができる。
【００１４】
次に、ウェットティッシュケースＣの取着は、その段部１７を取付具Ｂのケース支持板７，８の間に嵌挿すると、支持基板１３ａ、１３ｂと支持片１４ａ、１４ｂによって、段部１７が挟持される。
ウェットティッシュの取出しは、係止片１９を押圧すると開閉蓋１６が開かれるので、ウェットティッシュを簡単に引出し、使用することができる。
【００１５】
ウェットティッシュケースＣ内のウェットティッシュがなくなったときには、ウェットティッシュケースＣを簡単に取替えることができる。
【００１６】
次に、第２実施形態について説明する。
前記実施形態では、取付具Ｂをロールペーパー押え４の枢支軸の手前に取付けるようにしているが、取付具Ｂの基板５をペーパーホルダーＡの取付基板１に接合するように取付けたものである。
以下、ペーパーホルダーＡについて同一の符号を付して説明を省略し、取付具を中心に説明する。
【００１７】
図３において、２０は上下一対のケース支持板２１ａ、２１ｂを立設した取付具Ｂａの基板であり、基板２０の上部には、斜上外方に延びる突出耳部２２が形成されている。
突出耳部２２の端縁には、前方向に直角に延びる水平部２３ａと、水平部２３ａのロールペーパー押え４の枢支軸に接触しないよう基板２０から離れた位置を端縁として、上方に延びる垂直部２３ｂとからなる取付板２４が連設されており、垂直部２３ｂの上端縁には、外方向に直角に延びる支持板２５が連設されている。  取付板２４と支持板２５によって、取付具Ｂａの取付部材２６が形成されている。
【００１８】
ペーパーホルダーＡへの取付けにあたって、取付板２４の垂直部２３ｂがロールペーパー押え４の枢支軸に接触しないから、基板２０をペーパーホルダーＡの取付基板１に接合させることができ、取付具Ｂａを安定させて取付けることができ、保持板３ａ，ｂの長さの長短に係わらず、全てのペーパーホルダーＡに取付けることができる。
また、取付けにあたって、基板２０とペーパーホルダーＡの取付基板１とを両面接着テープで接合してもよい。
【００１９】
次に、第３実施形態について説明する。
前記各実施形態は、ペーパーホルダーの保持板が一定の厚さを持ち、上面が水平となっているペーパーホルダーに適用できるものであるが、ペーパーホルダーには、保持板の上端が傾斜している薄肉の合成樹脂、或いは金属製のものも使用されている。
本実施形態は、そのようなペーパーホルダーに適用した取付具に係るものである。
以下、相違点を中心に説明する。
【００２０】
図４において、Ａａはペーパーホルダー、Ｂｂは取付具である。
ペーパーホルダーＡａは、薄肉の合成樹脂、或いは金属製であり、取付基板３０と上端縁が傾斜した一対のロールペーパーの保持板３１とロールペーパー押え３２とを具えている。
【００２１】
取付具Ｂｂは、上下一対のケース支持板３３ａ、３３ｂを立設した基板３４と、基板３４から斜上外方に延びる突出耳部３５ａ，３５ｂとを具えており、それぞれの突出耳部３５ａ，３５ｂの端縁には、前方向の直角に延びる水平部３６ａと、ロールペーパー押え３２の枢支軸に接着しないよう基板３４から離れた位置を端縁として、上方に延びる垂直部３６ｂとからなる取付板３７が連設されている。
【００２２】
垂直部３６ｂの上端縁は傾斜縁となっており、該傾斜縁から直角に延びる連結部３８が連設されている。
連結部３８の端縁から、ペーパーホルダーＡａの保持板３１を挟持する挟持板３９が垂設されている。
上記取付板３７と挟持板３９によって、取付具Ｂｂの取付部材４０が形成されている。
【００２３】
実施例では、垂直部３６ｂの上端をペーパーホルダーＡａの保持板３１の傾斜に合わせるように傾斜縁としているが、保持板の傾斜に合わせないで、水平な縁としてもよい。
【００２４】
取付部ＢｂのペーパーホルダーＡａへの取付けは、ロールペーパー押え３２を開いて、取付具Ｂｂの取付板３７を保持板３１の間に上から挿入していくと、取付板３７と挟持板３９とによって保持板３１が挟持され、次いで、後方に押し上げていくと、保持板３１の傾斜端縁に沿って上昇し、ロールペーパー押え３２の枢支軸に接触することなく、取付具Ｂｂの基板３４がホルダーの取付基板３０に接合するようになる。
【００２５】
本取付具によれば、取付部材４０の取付板３７と挟持板３９によって保持板３１を挟持するので、取付具Ｂｂが保持板３１に強固に支持されることになる。
【００２６】
【発明の効果】
本発明は、上記のように構成されているから、次の効果を奏する。
取付具をペーパーホルダーに簡単に取付けることができるようになったから、ウェットティッシュケースを、ペーパーホルダーの下方の取付具に挟持することができるようになった。
そのことによって、ウェットティッシュケースの保管場所を特につくる必要がなくなり、使用にあたって、ウェットティッシュを引出すだけで簡単に取出せるようになった。
【図面の簡単な説明】
【図１】本発明取付具をペーパーホルダーに取着した使用時の説明図である。
【図２】取付具とウェットティッシュケースの分解説明図である。
【図３】第２実施形態の取付具の説明図である。
【図４】第３実施形態の取付具の説明図で、（ａ）はペーパーホルダー、（ｂ）は取付具の説明図である。
【符号の説明】
Ａ、Ａａ          ペーパーホルダー
Ｂ、Ｂａ、Ｂｂ    取付具
Ｃ                ウェットティッシュケース
１、３０          取付基板
２                ロールペーパー
３ａ，ｂ、３１    保持板
４、３２          ロールペーパー押え
５、２０、３４    基板
６、２６、４０    取付部材
７，８、２１ａ，ｂ、３３ａ，ｂ  ケース支持板
１１ａ，ｂ、２４、３７          取付板
１２ａ，ｂ、２５  支持板
１３ａ，ｂ、      支持基板
１４ａ，ｂ        支持片
１５              ケース本体
１７              段部
２２、３５ａ，ｂ  突出耳部
２３ａ、３６ａ    水平部
２３ｂ、３６ｂ    垂直部
３８              連結部
３９              挟持板
【図１】
0004330825.tif 000002
【図２】
0004330825.tif 000003
【図３】
0004330825.tif 000004
【図４】
0004330825.tif 000005